【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
（ａ）含まれるモノマーの総モルの内、３０モル％以上〜８０モル％以下のテトラフルオロエチレンモノマーと、
（ｂ）含まれるモノマーの総モルの内、３５モル％超〜５０モル％未満の１つ以上の下記式のペルフルオロ化エーテルモノマー
［ここで前記ペルフルオロ化エーテルモノマーは、
ＣＦ２＝ＣＦ（ＣＦ２）ｂＯ（Ｒｆ’’Ｏ）ｎ（Ｒｆ’Ｏ）ｍＲｆ          （Ｉ）
（式中、Ｒｆ’’及びＲｆ’は、独立して、２〜６個の炭素原子の直鎖又は分枝鎖ペルフルオロアルキレンラジカル基であり、ｍ及びｎは、独立して、０〜１０の整数であり、Ｒｆは、１〜６個の炭素原子のペルフルオロアルキル基であり、ｂは０又は１である）
から選択される］と、
（ｃ）
（ｉ）含まれるモノマーの総モルの内、０．０１〜１モル％の式（ＩＩ）
ＣＦ２＝ＣＦ−（ＣＦ２）ａ−（Ｏ−ＣＦ（Ｚ）−ＣＦ２）ｂ−Ｏ−（ＣＦ２）ｃ−（Ｏ−ＣＦ（Ｚ）−ＣＦ２）ｄ−（Ｏ）ｅ−（ＣＦ（Ａ））ｆ−ＣＸ＝ＣＹ２  （ＩＩ）
（式中、ａは０〜２から選択される整数であり、ｂは０〜２から選択される整数であり、ｃは０〜８から選択される整数であり、ｄは０〜２から選択される整数であり、ｅは０又は１であり、ｆは０〜６から選択される整数であり、Ｚは独立してＦ又はＣＦ３から選択され、ＡはＦ又はペルフルオロ化アルキル基であり、ＸはＨ又はＦであり、Ｙは独立してＨ、Ｆ、及びＣＦ３から選択される）
の化合物、及び
（ｉｉ）含まれるモノマーの総モルの内、０．０１〜１モル％の式（ＩＩＩ）
ＣＦ２＝ＣＦ−（ＣＦ２）ｇ−（Ｏ−ＣＦ（ＣＦ３）−ＣＦ２）ｈ−Ｏ−（ＣＦ２）ｉ−（Ｏ）ｊ−（ＣＦ２）ｋ−ＣＦ（Ｉ）−Ｘ  （ＩＩＩ）
（式中、ＸはＦ又はＣＦ３から選択され、ｇは０又は１であり、ｈは０〜３から選択される整数であり、ｉは０〜５から選択される整数であり、ｊは０又は１から選択される整数であり、ｋは０〜６から選択される整数である）
の化合物
の少なくとも１つから選択される化合物と
から得られる高フッ素化エラストマーゴムを含む、組成物。
【請求項２】
請求項１に記載の組成物及び過酸化物硬化系を含む、硬化性組成物。
【請求項３】
請求項１に記載の高フッ素化エラストマーと、過酸化物硬化系との硬化反応の反応生成物を含む、硬化フルオロエラストマー組成物。
【請求項４】
請求項３に記載の硬化高フッ素化エラストマーを含む成形物品。
【請求項５】
（ａ）含まれるモノマーの総モルの内、３０モル％以上〜８０モル％以下のテトラフルオロエチレンモノマーと、
（ｂ）含まれるモノマーの総モルの内、３５モル％超〜５０モル％未満の１つ以上の下記式のペルフルオロ化エーテルモノマー
［ここで前記ペルフルオロ化エーテルモノマーは、
ＣＦ２＝ＣＦ（ＣＦ２）ｂＯ（Ｒｆ’’Ｏ）ｎ（Ｒｆ’Ｏ）ｍＲｆ          （Ｉ）
（式中、Ｒｆ’’及びＲｆ’は、独立して、２〜６個の炭素原子の直鎖又は分枝鎖ペルフルオロアルキレンラジカル基であり、ｍ及びｎは、独立して、０〜１０の整数であり、Ｒｆは、１〜６個の炭素原子のペルフルオロアルキル基であり、ｂは０又は１である）
から選択される］と、
（ｃ）
（ｉ）含まれるモノマーの総モルの内、０．０１〜１モル％の式（ＩＩ）
ＣＦ２＝ＣＦ−（ＣＦ２）ａ−（Ｏ−ＣＦ（Ｚ）−ＣＦ２）ｂ−Ｏ−（ＣＦ２）ｃ−（Ｏ−ＣＦ（Ｚ）−ＣＦ２）ｄ−（Ｏ）ｅ−（ＣＦ（Ａ））ｆ−ＣＸ＝ＣＹ２  （ＩＩ）
（式中、ａは０〜２から選択される整数であり、ｂは０〜２から選択される整数であり、ｃは０〜８から選択される整数であり、ｄは０〜２から選択される整数であり、ｅは０又は１であり、ｆは０〜６から選択される整数であり、Ｚは独立してＦ又はＣＦ３から選択され、ＡはＦ又はペルフルオロ化アルキル基であり、ＸはＨ又はＦであり、Ｙは独立してＨ、Ｆ、及びＣＦ３から選択される）
の化合物、及び
（ｉｉ）含まれるモノマーの総モルの内、０．０１〜１モル％の式（ＩＩＩ）
ＣＦ２＝ＣＦ−（ＣＦ２）ｇ−（Ｏ−ＣＦ（ＣＦ３）−ＣＦ２）ｈ−Ｏ−（ＣＦ２）ｉ−（Ｏ）ｊ−（ＣＦ２）ｋ−ＣＦ（Ｉ）−Ｘ  （ＩＩＩ）
（式中、ＸはＦ又はＣＦ３から選択され、ｇは０又は１であり、ｈは０〜３から選択される整数であり、ｉは０〜５から選択される整数であり、ｊは０又は１から選択される整数であり、ｋは、０〜６から選択される整数である）
の化合物
の少なくとも１つから選択される化合物と
から選択されるモノマーから得られる高フッ素化エラストマーゴムを製造する方法であって、
１つ以上の開始剤を含む水性媒体中、反応温度で前記モノマーを重合することを含む、方法。
【手続補正２】
【補正対象書類名】明細書
【補正対象項目名】００９９
【補正方法】変更
【補正の内容】
【００９９】
本発明の範囲及び趣旨から逸脱せずとも、本発明に関し予測可能な修正及び変更が当業者には明白であろう。本発明は、説明のみを目的として本出願に記載される実施形態に限定されるべきではない。
本発明は以下の態様を包含する。
項目１：
高フッ素化エラストマーゴムを含む組成物であって、
（ａ）含まれるモノマーの総モルの内、３０モル％以上〜８０モル％以下のテトラフルオロエチレンモノマーと、
（ｂ）含まれるモノマーの総モルの内、３５モル％超〜５０モル％未満の下記式の１つ以上のペルフルオロ化エーテルモノマーと、ここで前記ペルフルオロ化エーテルモノマーは、
ＣＦ２＝ＣＦ（ＣＦ２）ｂＯ（Ｒｆ’’Ｏ）ｎ（Ｒｆ’Ｏ）ｍＲｆ          （Ｉ）
（式中、Ｒｆ’’及びＲｆ’は、独立して、２〜６個の炭素原子の直鎖又は分枝鎖ペルフルオロアルキレンラジカル基であり、ｍ及びｎは、独立して、０〜１０の整数であり、Ｒｆは、１〜６個の炭素原子のペルフルオロアルキル基であり、ｂは０又は１である）から選択され、
（ｃ）（ｉ）及び（ｉｉ）の少なくとも１つから選択される化合物と、から得られる前記組成物であって、ここで
（ｉ）含まれるモノマーの総モルの内、０．０１〜１モル％の式（ＩＩ）
ＣＦ２＝ＣＦ−（ＣＦ２）ａ−（Ｏ−ＣＦ（Ｚ）−ＣＦ２）ｂ−Ｏ−（ＣＦ２）ｃ−（Ｏ−ＣＦ（Ｚ）−ＣＦ２）ｄ−（Ｏ）ｅ−（ＣＦ（Ａ））ｆ−ＣＸ＝ＣＹ２  （ＩＩ）
（式中、ａは０〜２から選択される整数であり、ｂは０〜２から選択される整数であり、ｃは０〜８から選択される整数であり、ｄは０〜２から選択される整数であり、ｅは０又は１であり、ｆは０〜６から選択される整数であり、Ｚは独立してＦ又はＣＦ３から選択され、ＡはＦ又はペルフルオロ化アルキル基であり、ＸはＨ又はＦであり、Ｙは独立してＨ、Ｆ、及びＣＦ３から選択される）の化合物と、
（ｉｉ）含まれるモノマーの総モルの内、０．０１〜１モル％の式（ＩＩＩ）
ＣＦ２＝ＣＦ−（ＣＦ２）ｇ−（Ｏ−ＣＦ（ＣＦ３）−ＣＦ２）ｈ−Ｏ−（ＣＦ２）ｉ−（Ｏ）ｊ−（ＣＦ２）ｋ−ＣＦ（Ｉ）−Ｘ  （ＩＩＩ）
（式中、ＸはＦ又はＣＦ３から選択され、ｇは０又は１であり、ｈは０〜３から選択される整数であり、ｉは０〜５から選択される整数であり、ｊは０又は１から選択される整数であり、ｋは０〜６から選択される整数である）の化合物である、組成物。
項目２：
積分吸光度比が０．１未満である、項目１に記載の高フッ素化エラストマーゴム組成物。
項目３：
前記ペルフルオロ化エーテルモノマーは、ペルフルオロ（メチルビニル）エーテル（ＰＭＶＥ）、ペルフルオロ（エチルビニル）エーテル（ＰＥＶＥ）、ペルフルオロ（ｎ−プロピルビニル）エーテル（ＰＰＶＥ−１）、ペルフルオロ−２−プロポキシプロピルビニルエーテル（ＰＰＶＥ−２）、ペルフルオロ−３−メトキシ−ｎ−プロピルビニルエーテル、ペルフルオロ−２−メトキシ−エチルビニルエーテル、及びＣＦ３−（ＣＦ２）２−Ｏ−ＣＦ（ＣＦ３）−ＣＦ２−Ｏ−ＣＦ（ＣＦ３）−ＣＦ２−Ｏ−ＣＦ＝ＣＦ２、ペルフルオロ（メチルアリル）エーテル、ペルフルオロ（エチルアリル）エーテル、ペルフルオロ（ｎ−プロピルアリル）エーテル、ペルフルオロ−２−プロポキシプロピルアリルエーテル、ペルフルオロ−３−メトキシ−ｎ−プロピルアリルエーテル、ペルフルオロ−２−メトキシ−エチルアリルエーテル、及びＣＦ３−（ＣＦ２）２−Ｏ−ＣＦ（ＣＦ３）−ＣＦ２−Ｏ−ＣＦ（ＣＦ３）−ＣＦ２−Ｏ−ＣＦ２ＣＦ＝ＣＦ２の少なくとも１つから選択される、項目１又は２に記載の高フッ素化エラストマーゴム組成物。
項目４：
前記式（ＩＩ）の化合物は、ＣＦ２＝ＣＦ−Ｏ−（ＣＦ２）２−Ｏ−ＣＦ＝ＣＦ２、ＣＦ２＝ＣＦ−Ｏ−（ＣＦ２）３−Ｏ−ＣＦ＝ＣＦ２、ＣＦ２＝ＣＦ−Ｏ−（ＣＦ２）４−Ｏ−ＣＦ＝ＣＦ２、ＣＦ２＝ＣＦ−Ｏ−（ＣＦ２）６−Ｏ−ＣＦ＝ＣＦ２、ＣＦ２＝ＣＦＣＦ２−Ｏ−（ＣＦ２）２−Ｏ−ＣＦ＝ＣＦ２、ＣＦ２＝ＣＦＣＦ２−Ｏ−（ＣＦ２）３−Ｏ−ＣＦ＝ＣＦ２、ＣＦ２＝ＣＦＣＦ２−Ｏ−（ＣＦ２）４−Ｏ−ＣＦ＝ＣＦ２、ＣＦ２＝ＣＦＣＦ２−Ｏ−（ＣＦ２）２−Ｏ−ＣＦ＝ＣＦ２、ＣＦ２＝ＣＦＣＦ２−Ｏ−（ＣＦ２）３−Ｏ−ＣＦ＝ＣＦ２、ＣＦ２＝ＣＦＣＦ２−Ｏ−（ＣＦ２）４−Ｏ−ＣＦ＝ＣＦ２、及びＣＦ２＝ＣＦＣＦ２−Ｏ−（ＣＦ２）６−Ｏ−ＣＦ＝ＣＦ２の少なくとも１つから選択される、項目１〜３のいずれかに記載の高フッ素化エラストマーゴム組成物。
項目５：
前記式（ＩＩＩ）の化合物は、ＣＦ２＝ＣＦＯＣ４Ｆ８Ｉ（ＭＶ４Ｉ）、ＣＦ２＝ＣＦＯＣＦ２ＣＦ２ＣＦ２−Ｏ−Ｃ２Ｆ４Ｉ、ＣＦ２＝ＣＦＯＣ２Ｆ４Ｉ、及びＣＦ２＝ＣＦＯＣＦ２ＣＦ（ＣＦ３）ＯＣ２Ｆ４Ｉの少なくとも１つから選択される、項目１〜４のいずれかに記載の高フッ素化エラストマーゴム組成物。
項目６：
ＨＦＰ及びＣＴＦＥの少なくとも１つから選択される（ｄ）追加のペルフルオロ化モノマーを更に含む、項目１〜５のいずれかに記載の高フッ素化エラストマーゴム組成物。
項目７：
Ｉ−ＣＦ＝ＣＦ２の少なくとも１つから選択される（ｄ）追加の硬化部位モノマーを更に含む、項目１〜６のいずれかに記載の高フッ素化エラストマーゴム組成物。
項目８：
項目１〜７のいずれかに記載の組成物及び過酸化物硬化系を含む、硬化性組成物。
項目９：
項目１〜７のいずれかに記載の高フッ素化エラストマーと、過酸化物硬化系との硬化反応の反応生成物を含む、硬化フルオロエラストマー組成物。
項目１０：
項目９に記載の硬化高フッ素化エラストマーを含む成形物品。
項目１１：
ホース、管類、及びＯリングの少なくとも１つから選択される、項目１０に記載の成形物品。
項目１２：
高フッ素化エラストマーゴムを製造する方法であって、前記高フッ素化エラストマーゴムは、
（ａ）含まれるモノマーの総モルの内、３０モル％以上〜８０モル％以下のテトラフルオロエチレンモノマーと、
（ｂ）含まれるモノマーの総モルの内、３５モル％超〜５０モル％未満の下記式の１つ以上のペルフルオロ化エーテルモノマーと、ここで前記ペルフルオロ化エーテルモノマーは、
ＣＦ２＝ＣＦ（ＣＦ２）ｂＯ（Ｒｆ’’Ｏ）ｎ（Ｒｆ’Ｏ）ｍＲｆ          （Ｉ）
（式中、Ｒｆ’’及びＲｆ’は、独立して、２〜６個の炭素原子の直鎖又は分枝鎖ペルフルオロアルキレンラジカル基であり、ｍ及びｎは、独立して、０〜１０の整数であり、Ｒｆは、１〜６個の炭素原子のペルフルオロアルキル基であり、ｂは０又は１である）から選択され、
（ｃ）（ｉ）及び（ｉｉ）の少なくとも１つから選択される化合物と、から選択されるモノマーから得られ、ここで
（ｉ）含まれるモノマーの総モルの内、０．０１〜１モル％の式（ＩＩ）
ＣＦ２＝ＣＦ−（ＣＦ２）ａ−（Ｏ−ＣＦ（Ｚ）−ＣＦ２）ｂ−Ｏ−（ＣＦ２）ｃ−（Ｏ−ＣＦ（Ｚ）−ＣＦ２）ｄ−（Ｏ）ｅ−（ＣＦ（Ａ））ｆ−ＣＸ＝ＣＹ２  （ＩＩ）
（式中、ａは０〜２から選択される整数であり、ｂは０〜２から選択される整数であり、ｃは０〜８から選択される整数であり、ｄは０〜２から選択される整数であり、ｅは０又は１であり、ｆは０〜６から選択される整数であり、Ｚは独立してＦ又はＣＦ３から選択され、ＡはＦ又はペルフルオロ化アルキル基であり、ＸはＨ又はＦであり、Ｙは独立してＨ、Ｆ、及びＣＦ３から選択される）の化合物と、
（ｉｉ）含まれるモノマーの総モルの内、０．０１〜１モル％の式（ＩＩＩ）
ＣＦ２＝ＣＦ−（ＣＦ２）ｇ−（Ｏ−ＣＦ（ＣＦ３）−ＣＦ２）ｈ−Ｏ−（ＣＦ２）ｉ−（Ｏ）ｊ−（ＣＦ２）ｋ−ＣＦ（Ｉ）−Ｘ  （ＩＩＩ）
（式中、ＸはＦ又はＣＦ３から選択され、ｇは０又は１であり、ｈは０〜３から選択される整数であり、ｉは０〜５から選択される整数であり、ｊは０又は１から選択される整数であり、ｋは、０〜６から選択される整数である）の化合物であって、
前記方法は、１つ以上の開始剤を含む水性媒体中、反応温度で前記モノマーを重合することを含む、方法。
項目１３：
前記反応温度は約６０℃〜８５℃である、項目１２に記載の方法。
項目１４：
前記重合は、
［Ｒｆ−Ｏ−Ｌ−ＣＯＯ−］ｉＸｉ＋          （ＶＩ）
（式中、Ｌは、直鎖部分フッ素化若しくは完全フッ素化アルキレン基又は脂肪族炭化水素基を表し、Ｒｆは、直鎖部分フッ素化若しくは完全フッ素化脂肪族基、又は１つ以上の酸素原子で中断された直鎖部分フッ素化若しくは完全フッ素化基を表し、Ｘｉ＋は、価数ｉを有する陽イオンを表し、ｉは、１、２、及び３である）から選択されるフッ素化乳化剤を更に含む、項目１２又は１３に記載の方法。
項目１５：
前記高フッ素化エラストマーゴムの積分吸光度比が０．１未満である、項目１２〜１４のいずれかに記載の方法。